(57)【要約】【課題】書込み放電を高速、安定して行い、かつ消費電力を削減することができるプラズマディスプレイパネルを提供する。【解決手段】データ電極３２とプライミング電極３６とが対面する領域のデータ電極３２の幅を、データ電極３２とプライミング電極３６とが対面しない領域のデータ電極３２の幅よりも狭くなるようにデータ電極３２を形成し、データ電極３２とプライミング電極３６とが対面する領域のプライミング電極３６の幅を、データ電極３２とプライミング電極３６とが対面しない領域のプライミング電極３６の幅よりも狭くなるようにプライミング電極３６を形成する。【選択図】図５
2005063911.tif 000002
【特許請求の範囲】
【請求項１】
第１の基板上に互いに平行に配置された走査電極および維持電極と、
前記第１の基板に放電空間を挟んで対向配置される第２の基板上に前記走査電極と直交する方向に配置されたデータ電極と、
前記第２の基板上に前記データ電極を覆うように形成された誘電体層と、
前記第２の基板上に前記誘電体層を挟んで前記データ電極と直交する方向に配置され、前記走査電極との間で放電を生じさせるプライミング電極とを備え、
前記データ電極のうち少なくとも前記プライミング電極と対面する部分のデータ電極の幅が、前記少なくとも前記プライミング電極と対面する部分を除くデータ電極の幅よりも狭くなるように前記データ電極を形成することで、前記データ電極と前記プライミング電極とが対面する部分の面積を縮小することを特徴とするプラズマディスプレイパネル。
【請求項２】
第１の基板上に互いに平行に配置された走査電極および維持電極と、
前記第１の基板に放電空間を挟んで対向配置される第２の基板上に前記走査電極と直交する方向に配置されたデータ電極と、
前記第２の基板上に前記データ電極を覆うように形成された誘電体層と、
前記第２の基板上に前記誘電体層を挟んで前記データ電極と直交する方向に配置され、前記走査電極との間で放電を生じさせるプライミング電極とを備え、
前記プライミング電極のうち少なくとも前記データ電極と対面する部分のプライミング電極の幅が、前記少なくとも前記データ電極と対面する部分を除くプライミング電極の幅よりも狭くなるように前記プライミング電極を形成することで、前記データ電極と前記プライミング電極とが対面する部分の面積を縮小することを特徴とするプラズマディスプレイパネル。
【請求項３】
第１の基板上に互いに平行に配置された走査電極および維持電極と、
前記第１の基板に放電空間を挟んで対向配置される第２の基板上に前記走査電極と直交する方向に配置されたデータ電極と、
前記第２の基板上に前記データ電極を覆うように形成された誘電体層と、
前記第２の基板上に前記誘電体層を挟んで前記データ電極と直交する方向に配置され、前記走査電極との間で放電を生じさせるプライミング電極とを備え、
前記誘電体層は異なる誘電率を有する少なくとも二つの誘電体によって形成され、少なくとも前記データ電極と前記プライミング電極とが対面する領域では低い誘電率を有する誘電体で前記誘電体層を形成し、前記少なくとも前記データ電極と前記プライミング電極とが対面する領域を除く領域では前記誘電率よりも高い誘電率を有する誘電体で前記誘電体層を形成することを特徴とするプラズマディスプレイパネル。
【請求項４】
第１の基板上に互いに平行に配置された走査電極および維持電極と、
前記第１の基板に放電空間を挟んで対向配置される第２の基板上に前記走査電極と直交する方向に配置されたデータ電極と、
前記第２の基板上に前記データ電極を覆うように形成された誘電体層と、
前記第２の基板上に前記誘電体層を挟んで前記データ電極と直交する方向に配置され、前記走査電極との間で放電を生じさせるプライミング電極とを備え、
前記データ電極と前記プライミング電極とが対面する領域において、少なくとも前記データ電極と前記プライミング電極とが対面する領域における前記誘電体層の厚みを、前記少なくとも前記データ電極と前記プライミング電極とが対面する領域を除く領域における前記誘電体層の厚みよりも厚くすることで前記データ電極と前記プライミング電極との間隔を広げることを特徴とするプラズマディスプレイパネル。
【発明の詳細な説明】
【技術分野】
【０００１】
本発明はプラズマディスプレイパネル（以下、パネルとも記す）に関する。
【背景技術】
【０００２】
近年、急速に市場規模を拡大してきたプラズマディスプレイ装置は、大画面、薄型、軽量を特徴とする視認性に優れた表示デバイスである。また、ハイビジョン放送に代表される高精細映像に対応するため、プラズマディスプレイパネルの高精細化が進められている。プラズマディスプレイパネルの電極構造にはいくつかの種類があるが、現在は大画面化、高精細化に適したＡＣ型３電極プラズマディスプレイパネルが主流となっている。
【０００３】
ＡＣ型３電極プラズマディスプレイパネルは、一般に対向配置された前面板と背面板との間に多数の放電セルを形成している。前面板は、走査電極と維持電極とからなる表示電極が前面ガラス基板上に互いに平行に対をなして複数形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とを対向配置して密封し、内部の放電空間に放電ガスを封入している。また、ハイビジョンに対応した高精細なプラズマディスプレイパネルは通常７００本を超す走査電極を有する。
【０００４】
ＡＣ型プラズマディスプレイパネルを駆動する方法としては、１フィールド期間を複数のサブフィールドに分割し、発光させるサブフィールドの組合せによって階調表示を行う、いわゆるサブフィールド法が一般的である。各サブフィールドは初期化期間、書込み期間および維持期間を有する。
【０００５】
初期化期間では、プラズマディスプレイパネルを構成する全ての放電セルに初期化放電を起こし、続く書込み放電に必要な励起粒子（以下、プライミングと記す）を発生させるための初期化パルスを印加する。続く書込み期間では、プラズマディスプレイパネルに備えられた走査電極およびデータ電極にそれぞれ走査パルスおよび書込みパルスを印加し、選択的な書込み放電を起こす。続く維持期間では走査電極と維持電極との間に所定の回数の維持パルスを印加して維持放電を起こし、放電セルを発光させる。
【０００６】
放電セルにおいて放電を起こす場合、放電電圧を印加してから放電を開始するまでに時間差（以下、放電遅れと略記する）がある。そのため、放電セルを安定して放電させるには、走査パルスおよび書込みパルスのパルス幅を少なくとも放電遅れより長くしなければならない。
【０００７】
一方、書込み期間では走査パルスを走査電極に順次印加していくので、走査電極の数によって走査パルスの印加回数が決まる。すなわち、プラズマディスプレイパネルの高精細化によって走査電極の数が増えると、増加した走査電極の数に依存して書込み期間が長くなる。書込み期間が長くなれば、初期化期間または維持期間を短縮してサブフィールドの期間が変わらないようにするか、初期化期間および維持期間は変えずにサブフィールドの期間を長くするかのいずれかによる時間調整が必要になる。
【０００８】
しかし、初期化期間を短縮するために初期化パルスを短くすると、放電セルの初期化が不確実となり、続く書込み放電で誤放電を起こしやすくなる。また維持期間を短縮するために維持パルスの印加回数を減らすと、維持放電の回数が減り輝度が低下する。また、サブフィールドの期間を長くするために１フィールドあたりのサブフィールドの数を減らすと階調性が低下する。
【０００９】
これら課題を解決するために、前面板に補助放電電極（以下、プライミング電極と記す）を設け前面板側の面内補助放電によって生じた補助放電（以下、プライミング放電と記す）によって放電遅れを小さくするパネルとその駆動方法が提案されている（特許文献１参照）。
【特許文献１】特開２００２−２９７０９１号公報
【発明の開示】
【発明が解決しようとする課題】
【００１０】
しかしながら、従来の前面板面内でプライミング放電を行うプラズマディスプレイパネルは、書込み時の放電遅れを十分に短縮できないという課題や、プライミング放電の動作マージンが小さいためにパネルによっては誤放電を誘発する課題、さらには隣接する放電セルへプライミングに必要な粒子以上のプライミング粒子が供給されてクロストークを生じるなどの課題がある。プライミング粒子を供給するための安定した補助放電を実現するには所定電極間距離が必要となる。従って、前面板面内でのプライミング放電では補助放電セルが大きくなり、パネルの高精細化ができないという課題を有している。
【００１１】
本発明はこのような課題に鑑みてなされたものであり、高精細化した場合でも書込み動作を高速、安定して行うことができ、さらに、電極を駆動するときに消費される電力を削減することができるプラズマディスプレイパネルを提供することを目的とする。
【課題を解決するための手段】
【００１２】
すなわち、請求項１に記載の発明は、第１の基板上に互いに平行に配置された走査電極および維持電極と、第１の基板に放電空間を挟んで対向配置される第２の基板上に走査電極と直交する方向に配置されたデータ電極と、第２の基板上にデータ電極を覆うように形成された誘電体層と、第２の基板上に誘電体層を挟んでデータ電極と直交する方向に配置され、走査電極との間で放電を生じさせるプライミング電極とを備え、データ電極のうち少なくともプライミング電極と対面する部分のデータ電極の幅が、この少なくともプライミング電極と対面する部分を除くデータ電極の幅よりも狭くなるようにデータ電極を形成することで、上述の対面する部分の面積を縮小することを特徴とするプラズマディスプレイパネルである。
【００１３】
このような構成によれば、プラズマディスプレイパネルを高精細化した場合でも書込み動作を高速、安定して行うことができる。さらに、プラズマディスプレイパネルの作成時における電極のパタン変更だけでデータ電極とプライミング電極との間に生じる寄生容量を小さくすることができ、電極を駆動するときにこの寄生容量の充電に消費される電力を削減することができる。
【００１４】
また、請求項２に記載の発明は、第１の基板上に互いに平行に配置された走査電極および維持電極と、第１の基板に放電空間を挟んで対向配置される第２の基板上に走査電極と直交する方向に配置されたデータ電極と、第２の基板上にデータ電極を覆うように形成された誘電対層と、第２の基板上に誘電体層を挟んでデータ電極と直交する方向に配置され、走査電極との間で放電を生じさせるプライミング電極とを備え、プライミング電極のうち少なくともデータ電極と対面する部分のプライミング電極の幅が、この少なくともデータ電極と対面する部分を除くプライミング電極の幅よりも狭くなるようにプライミング電極を形成することで、上述の対面する部分の面積を縮小することを特徴とするプラズマディスプレイパネルである。
【００１５】
このような構成によれば、プラズマディスプレイパネルを高精細化した場合でも書込み動作を高速、安定に行うことができる。さらに、プラズマディスプレイパネルの作成時における電極のパタン変更だけでデータ電極とプライミング電極との間に生じる寄生容量を小さくすることができ、電極を駆動するときにこの寄生容量の充電に消費される電力を削減することができる。
【００１６】
また、請求項３に記載の発明は、第１の基板上に互いに平行に配置された走査電極および維持電極と、第１の基板に放電空間を挟んで対向配置される第２の基板上に走査電極と直交する方向に配置されたデータ電極と、第２の基板上にデータ電極を覆うように形成された誘電対層と、第２の基板上に誘電体層を挟んでデータ電極と直交する方向に配置され、走査電極との間で放電を生じさせるプライミング電極とを備え、誘電体層は異なる誘電率を有する少なくとも二つの誘電体によって形成され、少なくともデータ電極とプライミング電極とが対面する領域では低い誘電率を有する誘電体で誘電体層を形成し、この少なくともデータ電極とプライミング電極とが対面する領域を除く領域では上述の誘電率よりも高い誘電率を有する誘電体で誘電体層を形成することを特徴とするプラズマディスプレイパネルである。
【００１７】
このような構成によれば、プラズマディスプレイパネルを高精細化した場合でも書込み動作を高速、安定に行うことができる。さらに、プラズマディスプレイパネルの作成時において、誘電体層の材料変更だけで、データ電極とプライミング電極との間に生じる寄生容量を小さくすることができ、電極を駆動するときにこの寄生容量の充電に消費される電力を削減することができる。
【００１８】
また、請求項４に記載の発明は、第１の基板上に互いに平行に配置された走査電極および維持電極と、第１の基板に放電空間を挟んで対向配置される第２の基板上に走査電極と直交する方向に配置されたデータ電極と、第２の基板上にデータ電極を覆うように形成された誘電対層と、第２の基板上に誘電体層を挟んでデータ電極と直交する方向に配置され、走査電極との間で放電を生じさせるプライミング電極とを備え、データ電極とプライミング電極とが対面する領域において、少なくともデータ電極とプライミング電極とが対面する領域における誘電体層の厚みを、この少なくともデータ電極とプライミング電極とが対面する領域を除く領域における誘電体層の厚みよりも厚くすることでデータ電極とプライミング電極との間隔を広げることを特徴とするプラズマディスプレイパネルである。
【００１９】
このような構成によれば、プラズマディスプレイパネルを高精細化した場合でも書込み動作を高速、安定に行うことができる。さらに、プラズマディスプレイパネルの作成時において、所定の領域の誘電体層の厚さを変えるだけで、データ電極とプライミング電極との間に生じる寄生容量を小さくすることができ、電極を駆動するときにこの寄生容量の充電に消費される電力を削減することができる。
【発明の効果】
【００２０】
本発明によれば、書込み放電を高速、安定して行い、かつ電極に生じる寄生容量の充電に消費される無効な電力を抑えて消費電力を削減したプラズマディスプレイパネルを提供することができる。
【発明を実施するための最良の形態】
【００２１】
以下、本発明の実施の形態におけるプラズマディスプレイパネルについて、図面を用いて説明する。
【００２２】
（第１の実施の形態）
図１は本発明の第１の実施の形態におけるプラズマディスプレイパネルを示す断面図であり、図２は同パネルの背面基板側の構造を模式的に示す斜視図である。
【００２３】
図１に示すように、第１の基板であるガラス製の前面基板２１と第２の基板である背面基板３１とが放電空間を挟んで対向配置され、放電空間には放電によって紫外線を放射するネオンおよびキセノンの混合ガスが封入されている。
【００２４】
前面基板２１上には、走査電極２２と維持電極２３とが互いに平行に対をなして複数形成されている。このとき、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されている。ここで、走査電極２２−走査電極２２間、および維持電極２３−維持電極２３間には黒色材料からなる光吸収層２８が設けられている。
【００２５】
走査電極２２のうち、一方の走査電極２２の金属母線２２ｂの突出部分２２ｂ’は光吸収層２８上にまで突出して形成されている。そして、これらの走査電極２２、維持電極２３および光吸収層２８とを覆うように誘電体層２４および保護層２５が形成されている。
【００２６】
背面基板３１上には、走査電極２２および維持電極２３と直交する方向に、データ電極３２が互いに平行に複数形成され、このデータ電極３２を覆うように誘電体層３３が形成されている。誘電体層３３の上に、データ電極３２と直交する方向にプライミング電極３６が複数形成され、プライミング電極３６を覆うように誘電体層３７が形成されている。さらにその上に放電セル４０を区画するための隔壁３４が形成されている。隔壁３４は、図２に示すように、データ電極３２と平行な方向に延びる縦壁部３４ａと、放電セル４０を形成しかつ放電セル４０の間に隙間部４１を形成する横壁部３４ｂとで構成されている。隙間部４１は一つおきにプライミング電極３６を有し、プライミング電極３６を有した隙間部４１はプライミングセル４１ａとして形成される。そして、隔壁３４により区画された放電セル４０に対応する誘電体層３７の表面と隔壁３４の側面とに蛍光体層３５が設けられている。
【００２７】
なお、図１では隙間部４１側に蛍光体層３５を形成していないが、隙間部４１側に蛍光体層３５を形成する構成としてもよい。
【００２８】
前面基板２１と背面基板３１を対向配置して封着する際、前面基板２１上に形成された走査電極２２の金属母線２２ｂのうち光吸収層２８上に突出した突出部分２２ｂ’と、背面基板３１上に形成されたプライミング電極３６とが平行にかつプライミングセル４１ａを挟んで対向するように位置合わせする。すなわち、図１、図２に示したプラズマディスプレイパネルは、前面基板２１側に形成された突出部分２２ｂ’と、背面基板３１側に形成されたプライミング電極３６との間でプライミング放電を行う構成となっている。
【００２９】
なお、図１、図２にはプライミング電極３６を覆うようにさらに誘電体層３７が形成されているが、この誘電体層３７は形成しなくてもよい。
【００３０】
図３はプラズマディスプレイパネルの電極配列図である。列方向にｍ列のデータ電極Ｄ1〜Ｄm（図１のデータ電極３２）が配列され、行方向にｎ行の走査電極ＳＣ1〜ＳＣn（図１の走査電極２２）とｎ行の維持電極ＳＵ1〜ＳＵn（図１の維持電極２３）とが維持電極ＳＵ1−走査電極ＳＣ1−走査電極ＳＣ2−維持電極ＳＵ2−・・・となるように２本ずつ交互に配列されている。そして、第１の実施の形態においては奇数行目の走査電極ＳＣ1、ＳＣ3、・・・の突出部分（図１の突出部分２２ｂ’）と対向するようにｎ／２本のプライミング電極ＰＲ1、ＰＲ3、・・・（図１のプライミング電極３６）が配列されている。
【００３１】
そして、一対の走査電極ＳＣi、維持電極ＳＵi（ｉ＝１〜ｎ）と一つのデータ電極Ｄj（ｊ＝１〜ｍ）とを含む放電セルＣi,j（図１の放電セル４０）が放電空間内に形成される。このとき放電セルＣの総数はｍ×ｎ個になる。また１〜ｎ行のうちの奇数行に走査電極ＳＣiの突出部分とプライミング電極ＰＲiとを含むプライミングセルＰＳi（図１のプライミングセル４１ａ）が形成され、プライミングセルＰＳの総数はｎ／２になる。
【００３２】
このように、第１の実施の形態におけるプラズマディスプレイパネルにおいては、奇数行目の走査電極ＳＣp（ｐ＝奇数）は突出部分２２ｂ’を持ち、自己の走査に伴ってプライミング放電を発生させるとともに書込みを行う。一方、偶数行目の走査電極ＳＣp+1は突出部分２２ｂ’がなく、自己の走査に伴うプライミング放電を発生させずに書込みを行う。
【００３３】
次に、パネルを駆動するための駆動波形とそのタイミングについて説明する。
【００３４】
図４は、第１の実施の形態におけるプラズマディスプレイパネルの駆動波形図である。なお、第１の実施の形態においては、１フィールド期間が初期化期間、書込み期間、維持期間を有する複数のサブフィールドから構成されており、それぞれのサブフィールドは維持期間における維持パルスの数が異なる以外は同様の動作を行うので、一つのサブフィールドについてのみ動作を説明する。
【００３５】
初期化期間前半部では、データ電極Ｄ1〜Ｄm、維持電極ＳＵ1〜ＳＵnおよびプライミング電極ＰＲ1〜ＰＲnをそれぞれ０（Ｖ）に保持し、走査電極ＳＣ1〜ＳＣnには、維持電極ＳＵ1〜ＳＵnに対して放電開始電圧以下の電圧Ｖi1から、放電開始電圧を超える電圧Ｖi2に向かって緩やかに上昇する傾斜波形電圧を印加する。この傾斜波形電圧が上昇する間に、走査電極ＳＣ1〜ＳＣnと維持電極ＳＵ1〜ＳＵn、データ電極Ｄ1〜Ｄm、プライミング電極ＰＲ1〜ＰＲnとの間でそれぞれ一回目の微弱な初期化放電が起こる。そして、走査電極ＳＣ1〜ＳＣn上部に負の壁電圧が蓄積されるとともに、データ電極Ｄ1〜Ｄm上部、維持電極ＳＵ1〜ＳＵn上部およびプライミング電極ＰＲ1〜ＰＲn上部には正の壁電圧が蓄積される。ここで、電極上部の壁電圧とは電極を覆う誘電体層上に蓄積された壁電荷により生じる電圧をあらわす。
【００３６】
初期化期間後半部では、維持電極ＳＵ1〜ＳＵnを正電圧Ｖｅに保ち、走査電極ＳＣ1〜ＳＣnには、維持電極ＳＵ1〜ＳＵnに対して放電開始電圧以下となる電圧Ｖi3から放電開始電圧を超える電圧Ｖi4に向かって緩やかに下降する傾斜波形電圧を印加する。この間に、走査電極ＳＣ1〜ＳＣnと維持電極ＳＵ1〜ＳＵn、データ電極Ｄ1〜Ｄm、プライミング電極ＰＲ1〜ＰＲnとの間でそれぞれ二回目の微弱な初期化放電が起こる。そして、走査電極ＳＣ1〜ＳＣn上部の負の壁電圧および維持電極ＳＵ1〜ＳＵn上部の正の壁電圧が弱められ、データ電極Ｄ1〜Ｄm上部の正の壁電圧は書込み動作に適した値に調整され、プライミング電極ＰＲ1〜ＰＲn上部の正の壁電圧もプライミング動作に適した値に調整される。以上により初期化動作が終了する。
【００３７】
書込み期間では、走査電極ＳＣ1〜ＳＣnを一旦電圧Ｖｃに保持する。そして、プライミング電極ＰＲ1〜ＰＲnに電圧変化分（Ｖｃ−Ｖi4）とほぼ等しい電圧Ｖｑを印加する。
【００３８】
まず、奇数行目の放電セルＣp,1〜Ｃp,mの書込み動作では、走査電極ＳＣpに走査パルス電圧Ｖａを印加するとともに、表示すべき画像信号に対応するデータ電極Ｄk（ｋ＝１〜ｍの整数）に正の書込みパルスＶｄを印加する。奇数行目の走査電極ＳＣpは自己の走査に伴ってプライミング放電を発生させるとともに書込みを行う走査電極である。従って、この走査パルス電圧Ｖａの印加によりプライミング電極ＰＲpと走査電極ＳＣpとの間でプライミング放電が発生し、放電セルＣp,1〜Ｃp,mと放電セルＣp+1,1〜Ｃp+1,mとの内部にプライミングが供給される。このときの放電は、上述したようにプライミングセルが放電しやすい構造であるため、放電遅れが小さく速い安定したプライミング放電となる。
【００３９】
その後引き続いて書込みパルス電圧を印加したデータ電極Ｄkに対応する放電セルＣp,kで書込み放電が発生する。このとき、放電セルＣp,kの放電は走査電極ＳＣpとプライミング電極ＰＲpとの間で発生したプライミング放電からプライミングが供給されつつ発生するので、プライミングセルからプライミングの供給が始まるまでの時間遅れはあるものの、プライミング供給後は放電遅れが小さく安定した放電となる。
【００４０】
この書込み放電により放電セルＣp,kの走査電極ＳＣp上部に正電圧が蓄積され、維持電極ＳＵp上部に負電圧が蓄積されて、奇数行目の書込み動作が終了する。
【００４１】
次に、偶数行目の放電セルＣp+1,1〜Ｃp+1,mの書込み動作では、ｐ＋１行目の走査電極ＳＣp+1に走査パルス電圧Ｖａを印加すると同時に、データ電極Ｄ1〜Ｄmのうちｐ＋１行目に表示すべき画像信号に対応するデータ電極Ｄkに正の書込みパルス電圧Ｖｄを印加する。これにより、データ電極Ｄkと走査電極ＳＣp+1との交差部で放電が発生する。このとき、放電セルＣp+1,kでは走査電極ＳＣpとプライミング電極ＰＲpとの間で発生したプライミング放電から十分なプライミングがすでに供給された状態で放電が発生するので、書込み放電の放電遅れは非常に小さく安定した放電となる。
【００４２】
この書込み放電により放電セルＣp+1,kの走査電極ＳＣp上部に正電圧が蓄積され、維持電極ＳＵp上部に負電圧が蓄積されて、偶数行目の書込み動作が終了する。
【００４３】
以下、同様の書込み動作をｎ行目の放電セルＣn,kに至るまで行い、書込み動作が終了する。
【００４４】
維持期間では、走査電極ＳＣ1〜ＳＣnおよび維持電極ＳＵ1〜ＳＵnを０（Ｖ）に一旦戻した後、走査電極ＳＣ1〜ＳＣnに正の維持パルス電圧Ｖｓを印加する。このとき、書込み放電を起こした放電セルＣi,jにおける走査電極ＳＣi上部と維持電極ＳＵi上部との間の電圧は、正の維持パルス電圧Ｖｓに加えて、書込み期間において走査電極ＳＣi上部および維持電極ＳＵi上部に蓄積された壁電圧が加算されて、放電開始電圧より大きくなる。これにより、放電セルＣi,jにおいて維持放電が発生する。以降同様に、走査電極ＳＣ1〜ＳＣnと維持電極ＳＵ1〜ＳＵnとに維持パルスを交互に印加することにより、書込み放電を起こした放電セルＣi,kに対して維持パルスの回数だけ維持放電が継続して行われる。
【００４５】
このように、第１の実施の形態では、奇数行目の放電セルＣp,1〜Ｃp,mの書込み動作において、背面基板３１側に設けたプライミング電極ＰＲpと前面基板２１側に設けた走査電極ＳＣpとの間でプライミング放電を発生させ、放電セルＣp,1〜Ｃp,mと放電セルＣp+1,1〜Ｃp+1,mとの内部にプライミングを供給することで、放電遅れが小さく、高速かつ安定した書込み放電を実現することができる。
【００４６】
一方、プライミングセル４１ａでは、データ電極３２とプライミング電極３６とが立体交差して対面する領域（以下、対面領域と略記する）がｍ個生じる。すなわち、プラズマディスプレイパネル全体ではｍ×ｎ／２個の対面領域が生じることになる。この対面領域では、データ電極３２とプライミング電極３６とが誘電体層３３を挟んで対面しているため、寄生容量が発生する（以下、対面領域に発生する寄生容量のことを、電極寄生容量と略記する）。この電極寄生容量は対面領域の面積に依存しているので、プラズマディスプレイパネルを高精細化するためにデータ電極３２の数を増やせば、その分対面領域が増え、電極寄生容量も増加することになる。
【００４７】
データ電極３２に書込みパルス電圧を印加する際、電力の一部がこの電極寄生容量の充電に使用される。この電力は、プラズマディスプレイパネルの発光に寄与しない無効な電力（以下、無効電力と略記する）である。すなわち、電極寄生容量が増えると無効電力が増え、消費電力が増大する。
【００４８】
図５は、対面領域におけるデータ電極３２およびプライミング電極３６の形状を示す概略図であり、図３の破線で囲んだ部分Ｚを拡大した図である。第１の実施の形態では、図５に示すように、データ電極３２とプライミング電極３６とが対面しない領域（以下、非対面領域と略記する）のデータ電極３２の幅をＷdwとし、対面領域のデータ電極３２の幅をＷdwより狭いＷdnとする。また、非対面領域のプライミング電極３６の幅をＷpwとし、対面領域のプライミング電極３６の幅をＷpwより狭いＷpnとする。
【００４９】
例えば電極の幅を狭くしない場合、Ｗdwを２００μｍ、Ｗpwを１００μｍとすると、対面領域の面積Ｓwは２００μｍ×１００μｍ＝２００００μｍ2である。一方、第１の実施の形態に示すように、対面領域においてデータ電極３２およびプライミング電極３６の電極の幅を狭くして、Ｗdnを８０μｍ、Ｗpnを５０μｍとすると、対面領域の面積Ｓnは８０μｍ×５０μｍ＝４０００μｍ2となる。この場合の対面領域の面積は、電極の幅を狭くしない場合と比較して５分の１である。このように対面領域においてデータ電極３２およびプライミング電極３６の電極の幅を狭くすることで、対面領域の面積を縮小することができる。電極寄生容量は対面領域の面積に依存するので、対面領域の面積を縮小することで電極寄生容量を小さくすることができる。電極寄生容量を小さくすることができれば、データ電極３２に書込みパルス電圧を印加する際に発生する無効電力を削減することができる。
【００５０】
本願発明者は、動画を表示している状態でデータ電極３２の駆動電力を測定する実験を行った。実験では、従来の電極の幅を狭くしない場合の消費電力が２２ｗであったのに対し、電極の幅を狭くして対面領域の面積を縮小した場合は１７ｗとなり、消費電力を５ｗ削減することができた。
【００５１】
以上説明したように、第１の実施の形態におけるプラズマディスプレイパネルは、背面基板３１側にプライミング電極３６を設け、さらにデータ電極３２とプライミング電極３６との対面領域の面積を縮小するように電極の幅を狭くして対面領域に生じる電極寄生容量を小さくする。こうすることで、書込み放電を高速かつ安定して行い、かつ電極寄生容量の充電に消費される無効な電力を抑え、消費電力を削減することができる。
【００５２】
なお、上述の電極の幅Ｗdw、Ｗdn、Ｗpw、Ｗpnはプラズマディスプレイパネルのサイズやデザインによって最適な値が異なるので、プラズマディスプレイパネルの機種に応じて最適化することが望ましい。
【００５３】
図６（ａ）〜（ｆ）は本発明の第１の実施の形態におけるプラズマディスプレイパネルの対面領域におけるデータ電極３２およびプライミング電極３６の形状の例を示す概略図である。第１の実施の形態では、図５に示す電極の形状だけではなく、例えば図６（ａ）、（ｂ）に示すように、非対面領域から対面領域にかけて緩やかに電極の幅を狭くする形状としてもよい。電極に角があると、その角から電極が剥がれる「エッジカール」と呼ばれる現象を起こす恐れがあるが、電極の形状を緩やかに変化させることでエッジカールを防ぐことができる。また、図６（ｃ）に示すように一方の電極の形状は変えずに、もう一方の電極の形状のみを狭くするようにしてもよい。また、図６（ａ）〜（ｃ）に示すような左右あるいは上下で対称となる形状に限らず、例えば図６（ｄ）〜（ｆ）に示すように左右および上下で非対称となる形状としてもよい。あるいは、図６（ａ）〜（ｆ）に示すこれらの形状の組合せとしてもよい。
【００５４】
なお、図１、図２では隙間部４１に対し１行おきにプライミングセル４１ａを形成する構成を示したが、プライミング電極３６とデータ電極３２とが誘電体層３３を挟んで対面する構成であれば、対面領域の面積を縮小することで電極寄生容量を削減でき、上述と同様の消費電力削減効果が得られる。例えば、全行にプライミングセル４１ａを形成する構成や、プライミング電極３６とデータ電極３２の上下位置を図１、図２の例とは逆に形成した構成などにも同様の効果がある。
【００５５】
（第２の実施の形態）
図７（ａ）は本発明の第２の実施の形態におけるプラズマディスプレイパネルの背面基板の断面図であって、図２のＡ−Ａ線に沿う断面図の一部である。図７（ｂ）は同背面基板の断面図であって、図２のＢ−Ｂ線に沿う断面図の一部である。第２の実施の形態におけるプラズマディスプレイパネルが第１の実施の形態と異なる点は、図７に示すように、データ電極３２とプライミング電極３６とで挟まれている対面領域にある誘電体層３３ａを、誘電体層３３より低い誘電率の誘電体で構成する点にある。電極寄生容量は誘電体の誘電率に依存しているので、このように、対面領域にある誘電体層３３ａを低い誘電率の誘電体で構成することで、電極寄生容量を小さくすることができる。
【００５６】
例えば、誘電体層３３を構成する誘電体の比誘電率を１０とした場合、比誘電率５の誘電体で誘電体層３３ａを構成することで、電極寄生容量を半分にすることができる。
【００５７】
このとき、誘電体層３３ａが形成されるのは、図７に示すように対面領域であり、これ以外の領域は誘電体層３３である。従って、上述の構成による、書込み放電、初期化放電、維持放電への実質的な影響はない。また、誘電体層３３ａはプライミング電極３６が走査電極２２と対向する側には形成されないので、プライミング放電にも実質的な影響はない。
【００５８】
このように、第２の実施の形態では、データ電極３２とプライミング電極３６とで挟まれる対面領域に、誘電体層３３より低い誘電率の誘電体で誘電体層３３ａを構成することで、電極寄生容量を削減し、消費電力を削減する。
【００５９】
図８（ａ）は第２の実施の形態におけるプラズマディスプレイパネルの背面基板の別の例を示す断面図であって、図２のＡ−Ａ線に沿う断面図の一部である。図８（ｂ）は同背面基板の断面図であって、図２のＢ−Ｂ線に沿う断面図の一部である。第２の実施の形態では、誘電体層３３ａを形成する領域を図７に示す領域だけに限らず、例えば、図８（ａ）に示すように横壁部３４ｂの幅まで誘電体層３３ａを広げる構成としてもよい。あるいは、図８（ｂ）に示すように、誘電体層３３ａをプライミング電極３６の形状に沿って形成する構成としてもよい。このような構成としても放電に実質的な影響はなく、上述と同様に電極寄生容量を小さくすることができる。
【００６０】
なお、第２の実施の形態に示した構成と、第１の実施の形態に示した構成とを組合せて構成してもよい。
【００６１】
（第３の実施の形態）
図９は本発明の第３の実施の形態におけるプラズマディスプレイパネルの背面基板側の構造を模式的に示す斜視図である。図１０（ａ）は図９のＣ−Ｃ線に沿う断面図であり、図１０（ｂ）は図９のＤ−Ｄ線に沿う断面図である。第３の実施の形態におけるプラズマディスプレイパネルが第１の実施の形態と異なる点は、図９、図１０に示すように、対面領域にある誘電体層３３の厚みを非対面領域にある誘電体層３３の厚みよりも厚くするように誘電体層３３を形成する点にある。電極寄生容量は電極間の距離に依存しているので、このように誘電体層３３を形成してデータ電極３２とプライミング電極３６との間隔を広げることで、電極寄生容量を小さくすることができる。
【００６２】
図１０（ａ）のｄAは非対面領域の誘電体層３３の厚みであり、ｄBは対面領域の誘電体層３３の厚みである。例えばｄAを３０μｍとしたとき、ｄBを６０μｍとすることで、電極寄生容量を約半分にすることができる。
【００６３】
第３の実施の形態は、このように、データ電極３２とプライミング電極３６との間隔を広げることで電極寄生容量を小さくすることを目的としている。しかし、データ電極３２とプライミング電極３６との間隔を広げると、プライミング電極３６と走査電極２２との間隔が小さくなる。
【００６４】
図１１は放電セルにおける電極間の距離ｄと放電開始電圧Ｖｆとの関係を示す図である。図１１に示すように、電極間の距離ｄがｄpmのときに放電開始電圧は最も低いＶｆminとなる。放電セルにおける電極間の距離ｄと放電開始電圧Ｖｆにはこの「パッシブミニマム」と呼ばれる関係があり、電極間の距離ｄがｄpmより小さくなっても、逆に大きくなっても放電開始電圧Ｖｆは上昇し、放電が起こりにくくなる。
【００６５】
上述したようにプライミング電極３６はプライミングセル４１ａを挟んで対向する走査電極２２との間でプライミング放電を発生するが、プライミング電極３６と走査電極２２との間隔がｄpmより小さくなると放電開始電圧Ｖｆが上昇し、プライミング放電が起こりにくくなる。
【００６６】
プライミング放電を速やかに発生させるためには、プライミング電極３６と走査電極２２との間隔がｄpmとなることが望ましい。一方、電極寄生容量を小さくするためには、対面領域におけるデータ電極３２とプライミング電極３６との間隔を広げなければならない。
【００６７】
第３の実施の形態では、図９、図１０に示すように、対面領域における誘電体層３３の厚みｄBが、非対面領域における誘電体層３３の厚みｄAより厚くなるように誘電体層３３を形成する。こうすることで、対面領域におけるデータ電極３２とプライミング電極３６との間隔を広げて電極寄生容量を削減し、かつプライミング電極３６と走査電極２２との間に放電に適した間隔を有する領域を形成し、プライミング放電を速やかに発生させる。
【００６８】
図１２は第３の実施の形態におけるプラズマディスプレイパネルの背面基板の別の例を模式的に示す斜視図であり、図１３は図１２のＥ−Ｅ線に沿う断面図である。例えば、図１２、図１３に示すように、プライミング電極３６がカーブを持った形状となるように誘電体層３３およびプライミング電極３６を形成してもよい。図１４は第３の実施の形態におけるプラズマディスプレイパネルの背面基板のさらに別の例を示す断面図である。あるいは、図１４に示すように、対面領域においてデータ電極３２がプライミング電極３６から離れるような形状となるように誘電体層３３およびデータ電極３２を形成してもよい。これらの構成としても、上述したものと同様の効果を得ることができる。
【００６９】
なお、第３の実施の形態に示した構成と、第１の実施の形態または第２の実施の形態に示した構成とを組合せて構成してもよい。
【産業上の利用可能性】
【００７０】
本発明にかかるプラズマディスプレイパネルは、書込み放電を高速、安定して行い、かつ電極寄生容量の充電に消費される無効な電力を抑えて消費電力を削減することができるので、プラズマディスプレイパネルなどに有用である。
【図面の簡単な説明】
【００７１】
【図１】本発明の第１の実施の形態におけるプラズマディスプレイパネルを示す断面図
【図２】本発明の第１の実施の形態および第２の実施の形態におけるプラズマディスプレイパネルの背面基板側の構造を模式的に示す斜視図
【図３】本発明の第１の実施の形態におけるプラズマディスプレイパネルの電極配列図
【図４】本発明の第１の実施の形態におけるプラズマディスプレイパネルの駆動波形図
【図５】本発明の第１の実施の形態におけるプラズマディスプレイパネルの対面領域におけるデータ電極およびプライミング電極の形状を示す概略図
【図６】（ａ）〜（ｆ）は本発明の第１の実施の形態におけるプラズマディスプレイパネルの対面領域におけるデータ電極およびプライミング電極の形状の例を示す概略図
【図７】（ａ）は本発明の第２の実施の形態におけるプラズマディスプレイパネルの背面基板の断面図（ｂ）は本発明の第２の実施の形態におけるプラズマディスプレイパネルの背面基板の断面図
【図８】（ａ）は本発明の第２の実施の形態におけるプラズマディスプレイパネルの背面基板の別の例を示す断面図（ｂ）は本発明の第２の実施の形態におけるプラズマディスプレイパネルの背面基板の別の例を示す断面図
【図９】本発明の第３の実施の形態におけるプラズマディスプレイパネルの背面基板側の構造を模式的に示す斜視図
【図１０】（ａ）は図９のＣ−Ｃ線に沿う断面図（ｂ）は図９のＤ−Ｄ線に沿う断面図
【図１１】放電セルにおける電極間の距離ｄと放電開始電圧Ｖｆとの関係を示す図
【図１２】本発明の第３の実施の形態におけるプラズマディスプレイパネルの背面基板の別の例を模式的に示す斜視図
【図１３】図１２のＥ−Ｅ線に沿う断面図
【図１４】本発明の第３の実施の形態におけるプラズマディスプレイパネルの背面基板のさらに別の例を示す断面図
【符号の説明】
【００７２】
２１    （ガラス製の）前面基板
２２    走査電極
２２ａ，２３ａ    透明電極
２２ｂ，２３ｂ    金属母線
２２ｂ’    突出部分
２３    維持電極
２４，３３，３３ａ，３７    誘電体層
２５    保護層
２８    光吸収層
３１    ガラス製の背面基板
３２    データ電極
３４    隔壁
３４ａ    縦壁部
３４ｂ    横壁部
３５    蛍光体層
３６    プライミング電極
４０    放電セル
４１    隙間部
４１ａ    プライミングセル
【図１】
2005063911.tif 000003
【図２】
2005063911.tif 000004
【図３】
2005063911.tif 000005
【図４】
2005063911.tif 000006
【図５】
2005063911.tif 000007
【図６】
2005063911.tif 000008
【図７】
2005063911.tif 000009
【図８】
2005063911.tif 000010
【図９】
2005063911.tif 000011
【図１０】
2005063911.tif 000012
【図１１】
2005063911.tif 000013
【図１２】
2005063911.tif 000014
【図１３】
2005063911.tif 000015
【図１４】
2005063911.tif 000016